(57)【要約】【課題】パーソナルコンピュータなどの外部処理装置に記憶されているドライバに関するアップデート情報を簡単に取得することができるネットワーク複合機を提供する。【解決手段】制御部１１は、定期的に製造メーカ規定のＷＥＢサイトにアクセスして、プリンタドライバのアップデート情報を取得する。ユーザが外部処理装置３１を操作して印刷を指示すると、プリンタドライバによって作成された制御データがネットワーク複合機１に送信され、制御部１１は制御データに含まれているドライバのバージョン情報を取得する。制御部１１は、現在のドライバのバージョンよりも最新バージョンの方が新しいか否かを判定する。最新バージョンの方が新しい場合は、制御部１１は、プリンタドライバがバージョンアップしていることと、最新のドライバの更新内容とを含むアップデート指示情報を外部処理装置３１に送信する。【選択図】図１
2008033629.tif 000002
【特許請求の範囲】
【請求項１】
外部処理装置に記憶されているドライバによって作成された制御データに基づいて、予め定める機能動作を実行するネットワーク複合機において、
ネットワークを介して所定のタイミングで予め定めるＷＥＢサイトにアクセスし、前記ドライバの最新バージョン情報を含むアップデート情報を取得するアップデート情報取得手段と、
前記制御データから、前記ドライバのバージョン情報を取得するバージョン情報取得手段と、
前記最新バージョン情報と前記バージョン情報と基づいて、前記外部処理装置に記憶されているドライバのバージョンよりも最新バージョンの方が新しいか否かを判定する判定手段と、
前記判定手段によって最新バージョンの方が新しいと判定されたときに、ドライバのアップデートを指示するアップデート指示情報を前記外部処理装置に送出するアップデート指示情報送出手段とを備えることを特徴とするネットワーク複合機。
【請求項２】
請求項１に記載のネットワーク複合機において、
前記アップデート指示情報は、前記外部処理装置が記憶しているドライバのバージョンに対しての変更内容を示す変更差分情報を含むことを特徴とするネットワーク複合機。
【請求項３】
外部処理装置と、当該外部処理装置に記憶されているドライバによって作成された制御データに基づいて予め定める機能動作を実行するネットワーク複合機とを接続して構成される情報処理システムにおいて、
前記ネットワーク複合機は、ネットワークを介して所定のタイミングで予め定めるＷＥＢサイトにアクセスし、前記ドライバの最新バージョン情報を含むアップデート情報を取得するアップデート情報取得手段と、
前記制御データから、前記ドライバのバージョン情報を取得するバージョン情報取得手段と、
前記最新バージョン情報と前記バージョン情報と基づいて、前記外部処理装置に記憶されているドライバのバージョンよりも最新バージョンの方が新しいか否かを判定する判定手段と、
前記判定手段によって最新バージョンの方が新しいと判定されたときに、ドライバのアップデートを指示するアップデート指示情報を前記外部処理装置に送出するアップデート指示情報送出手段とを備え、
前記外部処理装置は、受信した前記アップデート指示情報を表示すると共に、アップデートの実行が選択されると、所定のインストール手順を実行するアップデート管理手段を備えることを特徴とする情報処理システム。
【請求項４】
請求項３に記載の情報処理システムにおいて、
前記アップデート指示情報は、前記外部処理装置が記憶しているドライバのバージョンに対しての変更内容を示す変更差分情報を含むことを特徴とする情報処理システム。
【請求項５】
請求項３に記載の情報処理システムにおいて、
前記アップデート管理手段は、ドライバの更新履歴を記憶すると共に、当該更新履歴を前記アップデート指示情報と共に表示することを特徴とする情報処理システム。
【請求項６】
請求項３に記載の情報処理システムにおいて、
前記アップデート管理手段は、前記インストール手順として、前記所定のＷＥＢサイトにアクセスしてインストールに必要なファイルをダウンロードし、インストーラを起動して最新バージョンのドライバをインストールすることを特徴とする情報処理システム。
【発明の詳細な説明】
【技術分野】
【０００１】
本発明は、インターネットやＬＡＮ（Local Area Network）などのネットワークを介して他の端末装置との間でデータ通信を行う通信機能や、プリンタ機能、スキャナ機能などの複数の機能を備えたネットワーク複合機、及びこれを用いた情報処理システムに関する。
【背景技術】
【０００２】
上述したネットワーク複合機と外部処理装置であるパーソナルコンピュータ（ＰＣ）とを例えばＬＡＮで接続し、使用したい機能に対応したドライバをＰＣにインストールすれば、前記ネットワーク複合機が備える機能を、ＰＣからの指示で動作させることができる。例えばプリンタドライバをＰＣにインストールすれば、ネットワーク複合機をプリンタとして動作させることができ、また、スキャナドライバをＰＣにインストールすれば、スキャナとして動作させることができる。
【０００３】
上記ドライバは、ネットワーク複合機の製造メーカによって定期又は不定期にアップデートされるのが一般的であり、ネットワーク複合機を良好な状態で使用する観点からは、最新バージョンのドライバをインストールしておくことが望ましい。
【０００４】
特許文献１には、最新バージョンのドライバのインストールに関する技術が開示されている。特許文献１に開示されている技術では、まずユーザがＰＣを操作してＰＣ用プリンタドライバのアップデートを指示すると、ＰＣはＰＣ用プリンタドライバの更新指示信号をディジタル複合装置に送信し、これに応答してディジタル複合装置は製造メーカのＷＥＢサイト（ＨＴＴＰサーバ装置）にプリンタドライバダウンロード指示信号を送信してアクセスする。これに応答してＨＴＴＰサーバ装置は、ＰＣ用プリンタドライバをディジタル複合装置に送信する。ディジタル複合装置は、受信したＰＣ用プリンタドライバを記憶すると共に、ＰＣからのダウンロード指示信号に応答して、ＰＣ用プリンタドライバをＰＣに送信し、ＰＣにおいてＰＣ用プリンタドライバの更新（インストール）が行われる（段落［００３４］、図４）。
【０００５】
ところで、ドライバのアップデートに関する情報は、ネットワーク複合機の製造メーカのＷＥＢサイトに公開されるのが一般的であるので、ユーザはＰＣを操作してＷＥＢサイトにアクセスすれば、ドライバのアップデート情報を取得することができる。また、ネットワーク複合機の製造メーカがユーザに対して電子メールを使用してドライバのアップデート情報の提供サービスを行っている場合は、製造メーカに対してメールアドレスを登録しておけば、製造メーカからの電子メールによってドライバのアップデート情報を取得することができる。
【特許文献１】特開２００５−２０９０７５号公報
【発明の開示】
【発明が解決しようとする課題】
【０００６】
製造メーカのＷＥＢサイトでドライバのアップデート情報を取得する場合は、ユーザがＰＣを操作してＷＥＢサイトにアクセスする必要があり、操作が面倒である。また、製造メーカからの電子メールでアップデート情報を取得する場合は、予めメールアドレスを登録する必要があり、登録手続が面倒である。
【０００７】
そこで、本発明の解決すべき課題は、パーソナルコンピュータなどの外部処理装置に記憶されているドライバに関するアップデート情報を簡単に取得することができ、さらにアップデートに関する情報をユーザに提供してドライバのインストール作業の円滑化を図ることができるネットワーク複合機及びこれを用いた情報処理システムを提供することである。
【課題を解決するための手段】
【０００８】
上記の課題を解決するため、請求項１の発明では、外部処理装置に記憶されているドライバによって作成された制御データに基づいて、予め定める機能動作を実行するネットワーク複合機において、ネットワークを介して所定のタイミングで予め定めるＷＥＢサイトにアクセスし、前記ドライバの最新バージョン情報を含むアップデート情報を取得するアップデート情報取得手段と、前記制御データから、前記ドライバのバージョン情報を取得するバージョン情報取得手段と、前記最新バージョン情報と前記バージョン情報と基づいて、前記外部処理装置に記憶されているドライバのバージョンよりも最新バージョンの方が新しいか否かを判定する判定手段と、前記判定手段によって最新バージョンの方が新しいと判定されたときに、ドライバのアップデートを指示するアップデート指示情報を前記外部処理装置に送出するアップデート指示情報送出手段とを備えている。
【０００９】
また、請求項２の発明では、請求項１に記載のネットワーク複合機において、前記アップデート指示情報は、前記外部処理装置が記憶しているドライバのバージョンに対しての変更内容を示す変更差分情報を含んでいる。
【００１０】
また、請求項３の発明では、外部処理装置と、当該外部処理装置に記憶されているドライバによって作成された制御データに基づいて予め定める機能動作を実行するネットワーク複合機とを接続して構成される情報処理システムにおいて、前記ネットワーク複合機は、ネットワークを介して所定のタイミングで予め定めるＷＥＢサイトにアクセスし、前記ドライバの最新バージョン情報を含むアップデート情報を取得するアップデート情報取得手段と、前記制御データから、前記ドライバのバージョン情報を取得するバージョン情報取得手段と、前記最新バージョン情報と前記バージョン情報と基づいて、前記外部処理装置に記憶されているドライバのバージョンよりも最新バージョンの方が新しいか否かを判定する判定手段と、前記判定手段によって最新バージョンの方が新しいと判定されたときに、ドライバのアップデートを指示するアップデート指示情報を前記外部処理装置に送出するアップデート指示情報送出手段とを備え、前記外部処理装置は、受信した前記アップデート指示情報を表示すると共に、アップデートの実行が選択されると、所定のインストール手順を実行するアップデート管理手段を備えている。
【００１１】
また、請求項４の発明では、請求項３に記載の情報処理システムにおいて、前記アップデート指示情報は、前記外部処理装置が記憶しているドライバのバージョンに対しての変更内容を示す変更差分情報を含んでいる。
【００１２】
また、請求項５の発明では、請求項３に記載の情報処理システムにおいて、前記アップデート管理手段は、ドライバの更新履歴を記憶すると共に、当該更新履歴を前記アップデート指示情報と共に表示するようにしている。
【００１３】
また、請求項６の発明では、請求項３に記載の情報処理システムにおいて、前記アップデート管理手段は、前記インストール手順として、前記所定のＷＥＢサイトにアクセスしてインストールに必要なファイルをダウンロードし、インストーラを起動して最新バージョンのドライバをインストールするようにしている。
【発明の効果】
【００１４】
請求項１に記載の発明によれば、所定のタイミングで自動的にドライバに関するアップデート情報が取得されるので、簡単かつ確実にアップデート情報を取得することができる。また、外部処理装置に記憶されているドライバのバージョンよりも最新バージョンの方が新しいときに、アップデート指示情報が外部処理装置に送信されるので、外部処理装置のユーザはドライバのアップデートが必要なときだけその旨を知ることができる。
【００１５】
請求項２に記載の発明によれば、外部処理装置のユーザは、最新バージョンのドライバの変更内容、即ち当該外部処理装置が現在記憶しているドライバのバージョンに対して最新バージョンのドライバがどのように変更されたかを知ることができるので、最新バージョンのドライバをインストールして記憶させるか否かを判断しやすくなる。これによって、ドライバのインストール作業の円滑化を図ることができる。
【００１６】
請求項３に記載の発明によれば、所定のタイミングで自動的にドライバに関するアップデート情報が取得されるので、簡単かつ確実にアップデート情報を取得することができる。また、外部処理装置に記憶されているドライバのバージョンよりも最新バージョンの方が新しいときに、アップデート指示情報が外部処理装置に送信されて表示されるので、外部処理装置のユーザはドライバのアップデートが必要なときだけその旨を知ることができる。さらに、アップデートが選択されると、ドライバのインストール手順が実行されるので、インストール作業の円滑化を図ることができる。
【００１７】
請求項４に記載の発明によれば、外部処理装置のユーザは、最新バージョンのドライバの変更内容、即ち当該外部処理装置が現在記憶しているドライバのバージョンに対して最新バージョンのドライバがどのように変更されたかを知ることができるので、最新バージョンのドライバをインストールして記憶させるか否かを判断しやすくなる。これによって、ドライバのインストール作業の円滑化を図ることができる。
【００１８】
請求項５に記載の発明によれば、ドライバのアップデート指示情報と共に、ドライバの変更履歴が表示されるので、最新バージョンのドライバをインストールして記憶させるか否かを判断しやすくなる。これによって、ドライバのインストール作業の円滑化を図ることができる。
【００１９】
請求項６に記載の発明によれば、ユーザが最新バージョンのドライバへのアップデートを選択すると、自動的にインストール手順が実行されるので、インストール作業の円滑化をより一層図ることができる。
【発明を実施するための最良の形態】
【００２０】
図１は、本発明の一実施形態に係るネットワーク複合機としてのファクシミリ複合装置１の構成を示すブロック図である。このファクシミリ複合装置１は、図１に示すように、制御部１１、読取部１２、記録部１３、表示部１４、操作部１５、通信部１６、及び記憶部１７等を備えている。また、このファクシミリ複合装置１の機能には、ファクシミリ機能、コピー機能、スキャナ機能、及びプリンタ機能等が含まれている。
【００２１】
制御部１１は、このファクシミリ複合装置１の制御を統括するものであり、ＣＰＵ等を備えて構成されている。この制御部１１には、機能要素として、アップデート情報取得手段としてのアップデート情報取得部１１ａ、バージョン情報取得手段としてのバージョン情報取得部１１ｂ、判定手段としての判定部１１ｃ、及びアップデート指示情報送出手段としてのアップデート指示情報送出部１１ｄが備えられている。これらのアップデート情報取得部１１ａ、バージョン情報取得部１１ｂ、判定部１１ｃ及びアップデート指示情報送出部１１ｄの役割等については、後に詳述する。
【００２２】
読取部１２は、原稿の読み取りを行うものであり、ファックス送信時の原稿の読み取りや、スキャナ機能使用時の原稿の読み取り等に用いられる。記録部１３は、プリンタ装置等を備えて構成され、画像データの紙等への印刷を行う。
【００２３】
表示部１４は液晶表示装置等によって構成され、このファクシミリ複合装置１の操作情報等の表示に用いられる。操作部１５は、複数の操作ボタンやタッチパネル等により構成され、このファクシミリ複合装置１の操作に用いられる。
【００２４】
通信部１６は、このファクシミリ装置１の通信インターフェースとして役割を担うものである。この通信部１６には、ファックス通信部２１及びネットワーク通信部２２等が備えられている。ファックス通信部２１は、電話回線網を介したファックスの送受信を担っている。ネットワーク通信部２２は、ＬＡＮ（Local Area Network）及びインターネット等の通信回線としてのネットワーク１８を介したデータ通信を担っている。
【００２５】
より詳細には、ファックス通信部２１には、ＮＣＵ（Network Control Unit）及びモデム等が備えられている。また、ネットワーク通信部２２は、ＳＭＴＰ（Simple Mail Transfer Protocol）、ＰＯＰ（Post Office Protocol）、ＳＭＢ（Server Message Block）、ＨＴＴＰ（Hyper Text Transfer Protocol）等を取り扱うための機能が備えられている。ネットワーク通信部２２の具体的な機能としては、Ｗｅｂサイトへのアクセス、電子メールの送受、電子メールに画像データを添付して送受するインターネットファックスの送受、及び、ＬＡＮ又はインターネットを介したデータの送受等が含まれている。
【００２６】
記憶部１７は、ハードディスク装置等の大容量記憶装置を備えて構成されている。この記憶部１７の記憶内容としては、例えば、このファクシミリ複合装置１を介して送受信されたファックスの送受信データ、インターネットファックスの送受信データ、電子メールの送受信データ、スキャナ機能使用時に読み取られた画像データ、及びファクシミリ複合装置１の設定や保守管理等に関するデータ等が含まれている。
【００２７】
このように構成されるファクシミリ複合装置１は、ネットワーク（例えば、ＬＡＮ）１８を介してパーソナルコンピュータ等の複数の外部処理装置３１と接続され、このファクシミリ複合装置１と外部処理装置３１とによって情報処理システムが構成されている。各外部処理装置３１には、制御部４１、表示部４２、操作部４３、ネットワーク通信部４４及び記憶部４５等が備えられている。ネットワーク通信部４４には、ファクシミリ複合装置１のネットワーク通信部２２とほぼ同様な機能が備えられ、外部処理装置３１とファクシミリ複合装置１との間で種々のデータ通信が行われるようになっている。
【００２８】
記憶部４５には、ファクシミリ複合装置１が備える種々の機能を実行させるためのドライバが記憶されている。例えば、プリンタ機能を実行させる場合はプリンタドライバを、スキャナ機能を実行させる場合はスキャナドライバを、それぞれ記憶部４５に記憶させておく。例えば外部処理装置３１においてファクシミリ複合装置１での印刷が指示されると、プリンタドライバによって制御データが作成される。制御データには、プリントデータ、プリントパラメータデータ、プリンタドライバのバージョン情報、当該外部処理装置を識別する識別情報が含まれる。この制御データは、ネットワーク１８を介してファクシミリ複合装置１に送信され、ファクシミリ複合装置１では受信した制御データに基づいて印刷が行われる。
【００２９】
制御部４１には、機能要素として、アップデート管理手段としてのアップデート管理部４１ａが備えられている。アップデート管理部４１ａは、アップデート指示情報を受信してその情報を表示部４２にポップアップ表示すると共に、ユーザによってアップデートが選択されたときは所定のインストール手順を実行する。またアップデート管理部４１ａは、ドライバの更新履歴を記憶し、アップデート指示情報と共に表示する。
【００３０】
表示部４２は、液晶表示装置等によって構成され、外部処理装置３１の操作情報等の表示に用いられる。操作部４３は、複数の操作ボタンと、表示部４２の表示面に重ね合わせて配置されるタッチパネル等で構成され、外部処理装置３１の操作に用いられる。
【００３１】
本実施形態は、外部処理装置３１に記憶されているドライバに関するアップデート情報を簡単に取得し、ドライバのインストール作業の円滑化を図ることを主眼とするものである。
【００３２】
次に、制御部１１のアップデート情報取得部１１ａ、バージョン情報取得部１１ｂ、判定部１１ｃ及びアップデート指示情報送出部１１ｄの役割等について説明する。
【００３３】
アップデート情報取得部１１ａは、ネットワーク通信部２２を制御して、所定のＷＥＢサイトとしてファクシミリ複合装置１の製造メーカのＷＥＢサイトにアクセスして、ドライバのアップデート情報を取得する。ＷＥＢサイトのＵＲＬは、記憶部１７に予め記憶されている。アップデート情報は、ドライバの最新バージョンを示す最新バージョン情報と、最新バージョンのドライバの更新内容を示す更新内容情報とを含む。更新内容とは、以前のバージョンのドライバと比較して最新バージョンのドライバでは、どのような変更がなされたかを示す情報である。例えば、「印刷時の文字化けが改善されました」や、「新たに○○の機能が付加されました」というような情報である。ＷＥＢサイトへのアクセスは、所定のタイミング例えば定期的に行うように設定されている。また、アップデート情報取得部１１ａは、取得したアップデート情報を、ドライバの種類ごとに記憶部１７に記憶させる。
【００３４】
バージョン情報取得部１１ｂは、外部処理装置３１から送出された制御データから、ドライバのバージョンを示すバージョン情報と、外部処理装置３１を識別する識別情報とを取得する。識別情報としては、例えば外部処理装置３１に割り当てられたＩＰアドレスやＮｅｔＢＩＯＳ名が使用される。制御データは、外部処理装置３１からファクシミリ複合装置１が備える機能の実行が指示されたときに、記憶部４５に記憶されているドライバによって作成されて送出される。
【００３５】
判定部１１ｃは、バージョン情報取得部１１ｂによって取得されたバージョン情報と、記憶部１７に記憶されている最新バージョン情報とを比較し、外部処理装置３１に現在記憶されているドライバのバージョンよりも最新バージョンの方が新しいか否かを判定する。例えば、ドライバのバージョンが数値で表されており、かつ新しいバージョンにより大きな数値を付与している場合は、バージョン情報と最新バージョン情報とが同じ数値であるときにバージョンが同じであると判定し、最新バージョン情報の方がバージョン情報よりも大きい数値であるときに新しいバージョンであると判定する。
【００３６】
アップデート指示情報送出部１１ｄは、判定部１１ｃの判定結果が「新しいバージョンである」のときに、アップデート指示情報を作成して古いバージョンのドライバが記憶されている外部処理装置３１に送出する。アップデート指示情報は、ドライバがバージョンアップしていることを示す情報と、変更差分情報とを含む。変更差分情報とは、外部処理装置３１が記憶しているドライバのバージョンと最新バージョンとの違いを示す情報であり、アップデート情報取得部１１ａによって取得された更新内容情報と同じ情報である。
【００３７】
図２は、ファクシミリ複合装置１によるドライバのアップデート情報取得時の処理動作を示すフローチャートである。所定のタイミング例えば所定の日時になると処理が開始され、ステップＳ１では、アップデート情報取得部１１ａが記憶部１７に記憶されているＵＲＬを参照して、ファクシミリ複合装置（ＭＦＰ）１のメーカ規定のＷＥＢサイトにアクセスする。続いてステップＳ２では、アップデート情報取得部１１ａはＭＦＰ用のドライバのアップデート情報を取得し、取得したアップデート情報を記憶部１７に記憶させて、処理を終了する。ドライバが複数種類ある場合は、ドライバの種類ごとにアップデート情報が取得されて記憶される。
【００３８】
図３は、ドライバのアップデート時の処理手順を示すフローチャートである。ここでは、プリンタドライバの場合を例にとり説明する。ユーザが外部処理装置３１を操作してファクシミリ複合装置１での印刷を指示すると処理が開始される。ステップＳ１１では、外部処理装置３１において、プリンタドライバがプリントデータとプリンタドライバのバージョンを示すバージョン情報とを含む制御データを作成し、この制御データがファクシミリ複合装置１に送信される。この制御データには、外部処理装置３１を識別するための識別情報が含まれている。
【００３９】
ステップＳ１２では、ファクシミリ複合装置１において、受信した制御データに含まれているバージョン情報がバージョン情報取得部１１ｂによって取得される。そして、取得されたバージョン情報と、記憶部１７に記憶されている取得済みのアップデート情報に含まれている最新バージョン情報とに基づいて、外部処理装置３１に現在記憶されているドライバのバージョンよりも、最新バージョンの方が新しいか否かが判定される。この判定は、制御部１１の判定部１１ｃで行われる。バージョンが同じであると判定した場合は、処理を終了する。一方、最新バージョンの方が新しいと判定した場合は、ステップＳ１３に進む。
【００４０】
ステップＳ１３では、ファクシミリ複合装置１において、プリンタドライバがバージョンアップしていることを示す情報と、外部処理装置３１に記憶されている現在のドライバのバージョンに対しての変更差分情報とを含むアップデート指示情報とが作成され、外部処理装置３１に送信される。このアップデート指示情報は、プリンタドライバに対するレスポンスとして送信される。どの外部処理装置３１に送信するかは、ステップＳ１２で受信した制御データに含まれている識別情報によって判断する。
【００４１】
続くステップＳ１４では、外部処理装置３１において、以前に新しいドライバのバージョンアップに対してアップデートしないことが選択されていたか否かを判断する。以前にバージョンアップしないことが選択されていた場合は、処理を終了する。一方、以前にバージョンアップすることが選択されていた場合は、ステップＳ１５に進む。
【００４２】
ステップＳ１５では、外部処理装置３１において、アップデート指示情報に基づいて、使用中のドライバより新しいドライバが存在することと、使用中のドライバから新しいドライバの変更差分情報とを、ポップアップ表示する。また、「今すぐアップデートする」のボタンと、「アップデートしない」のボタンとを表示する。このボタンは、操作部４３を構成するタッチパネル部分に表示される。
【００４３】
続くステップＳ１６では、外部処理装置３１において、どのボタンが押下されたかを判断する。「今すぐアップデートする」ボタンが押下された場合は、ステップＳ１７に進み、「アップデートしない」ボタンが押下された場合は、ステップＳ１８に進む。
【００４４】
ステップＳ１７では、外部処理装置３１において、上述した製造メーカ規定のＷＥＢサイトにアクセスして、プリンタドライバのインストールに必要なファイルをダウンロードして、インストーラを起動する。ユーザは、インストーラの指示に従って操作を行い、新しいプリンタドライバがインストールされて記憶部４５に記憶され、処理が終了する。
【００４５】
一方、ステップＳ１８では、外部処理装置３１において、ポップアップの表示ウインドウが閉じられ、さらに新しいプリンタドライバに対しては「アップデートしない」ボタンが押下されたことが記憶部４５に記憶される。
【００４６】
なお、外部処理装置３１において、ドライバの更新履歴を記憶しておき、上記のステップＳ１５で、更新履歴も表示するようにしてもよい。この場合、ユーザは、今回のドライバのアップデートをするか否かの判断材料として更新履歴を利用することができるので、アップデートするか否かの判断をしやすくなる。
【００４７】
また、ユーザがアップデートを選択した後は、何ら操作することなく、インストーラが自動的にドライバをインストールして記憶部４５に記憶させるようにしてもよい。この場合、インストール時のユーザの操作が不要になるので、ドライバのインストール作業の円滑化をより一層図ることができる。
【図面の簡単な説明】
【００４８】
【図１】本発明の一実施形態に係るネットワーク複合機としてのファクシミリ複合装置の構成を示すブロック図である。
【図２】ファクシミリ複合装置１によるドライバのアップデート情報取得時の処理動作を示すフローチャートである。
【図３】ドライバのアップデート時の処理手順を示すフローチャートである。
【符号の説明】
【００４９】
１  ファクシミリ複合装置
１１  制御部
１１ａ  アップデート情報取得部
１１ｂ  バージョン情報取得部
１１ｃ  判定部
１１ｄ  アップデート指示情報送出部
１７  記憶部
１８  ネットワーク
３１  外部処理装置
４１  制御部
４１ａ  アップデート管理部
４５  記憶部
【図１】
2008033629.tif 000003
【図２】
2008033629.tif 000004
【図３】
2008033629.tif 000005